(57)【要約】      （修正有）【課題】表示部の背面に表示部と独立した独立部を接続する構造において、独立部を容易に接続および分離することができる接続構造を有する表示装置を提供する。【解決手段】制御ユニット３が、回動自在に支持される第１フック３４および第２フック３５と、第１フック３４および第２フック３５の動きを連動させるリンケージ３３と、リンケージ３３を元の位置に引き戻す引張バネ３６を有している。また、表示ユニットのリアカバー２４が、内面２４Ｂに、第１フック３４および第２フック３５との係合構造を形成するための凸部２４ｆおよび２４ｈを有している。【選択図】図２
2014038130.tif 000002
【特許請求の範囲】
【請求項１】
表示面を有する表示部と、
前記表示部の背面に接続され、前記表示部と分離可能に設けられる独立部とを備え、
前記独立部は、
前記表示部の背面に当接させられる第１接続板と、
前記第１接続板から外部に突出する爪部を有する少なくとも２つの爪部材と、
前記爪部材を初期位置から移動自在となるように支持する支持部とを有し、
前記表示部は、
一面が、前記表示部の背面とされ、前記爪部材が差し入れられる少なくとも２つの孔が形成された第２接続板と、
前記孔から前記表示部内に差し入れられた前記爪部材を前記第２接続板と係合する係合位置まで案内する案内部とを有していることを特徴とする表示装置。
【請求項２】
前記独立部は、前記爪部材に設けられた支持箇所にて前記独立部に回動自在に支持された前記爪部材を回動させる回動手段を有し、
前記爪部材は、前記第２接続板に当接した状態で前記回動手段によって回動されると、前記爪部材の前記支持箇所が前記爪部材の前記第２接続板への当接部分を中心に回動するようになされていることを特徴とする請求項１に記載の表示装置。
【請求項３】
前記回動手段は、前記爪部材と前記第２接続板との係合状態が解除される位置まで前記爪部材を移動させることを特徴とする請求項２に記載の表示装置。
【請求項４】
前記回動手段は、直線方向の運動を前記爪部材の回転運動に変換し、
前記独立部は、
前記爪部材を前記係合位置に保持する保持手段と、
前記爪部材を前記初期位置に復帰させる復帰手段とを有していることを特徴とする請求項２または３に記載の表示装置。
【発明の詳細な説明】
【技術分野】
【０００１】
本発明は、表示面を有する部分と、それ以外の部分とが分離可能に設けられた表示装置に関するものである。
【背景技術】
【０００２】
コンピュータ装置などでは、表示を行う表示部およびコンピュータの本体部が一体的に構成されたり、表示部および本体部が別体に構成されたりする。
【０００３】
表示部と本体部とで別体に構成される場合、表示部と本体部との間のインターフェースの接続構造が必要となる。また、コンピュータ装置によっては、表示部と本体部との筐体同士の接続構造にも特有の改良が施されることもある。
【０００４】
例えば、特許文献１には、機器本体（本体部）の立ち上げ部に設けられた支持部に、フラットパネル型表示装置（表示部）の被支持部を挿入し、被支持部に設けられたコネクタと、支持部に設けられたコネクタを接合する着脱構造が開示されている。これにより、固定用ネジやドライバーを必要とせずに、フラットパネル型表示装置の着脱を迅速、容易かつ安全に行うことができる。
【０００５】
また、特許文献２には、液晶画面部（表示部）の下端部に設けられた組立用突起を本体部の一端側に設けられた組立用突起に挿入することにより、本体部と別体に設けられた液晶画面部（表示部）を本体部に固定する構造が開示されている。これにより、液晶画面部および本体部をそれぞれ独立した機器として有効活用を図ることができる。
【先行技術文献】
【特許文献】
【０００６】
【特許文献１】特開平６−２６６４７２号公報（１９９４年９月２２日公開）
【特許文献２】特開２００３−４４１６６号公報（２００３年２月１４日公開）
【発明の概要】
【発明が解決しようとする課題】
【０００７】
ところで、上記のような、パーソナルコンピュータを想定した装置だけでなく、プログラマブル表示器やパネルコンピュータなどのように、壁や装置の盤に取り付けられるコンピュータ装置にも、上記のような表示部と本体部とが別体に構成することが求められる。このようなコンピュータ装置は、操作手段として、キーボードの代わりにタッチパネルが設けられている。また、このようなコンピュータ装置は、前述のように表示部と本体部とを分離可能に構成する場合、本体部が表示部の背面に着脱可能に取り付けられる構造が採用される。
【０００８】
しかしながら、このようなコンピュータ装置では、本体部を表示部の背面に取り付ける上記の構造上、前述の特許文献１，２に開示された表示部と本体部との接続構造を採用することができない。このため、本体部を表示部の背面に取り付ける際には、ネジで固定する構造を採用せざるを得ない。
【０００９】
特に、本体部が多品種で構成され、ユーザが所望の本体部に交換するときに、本体部を表示部から取り外して、交換される本体部を表示部に接続するという作業が必要となる。また、本体部のメンテナンスにおいても、本体部を表示部から取り外して、再度表示部に取り付けるという作業が必要となる。このため、ネジで固定する構造は、上記の作業を煩わしくするという不都合がある。
【００１０】
また、壁埋め込み型のテレビジョン装置などでは、上記のコンピュータ装置と同様に、表示を行う表示部と、チューナなどを含む本体部とを別体に構成することも想定される。しかしながら、このようなテレビジョン装置などにおいても、上記と同様な不都合がある。
【００１１】
本発明は、上記の課題を鑑みてなされたものであり、その目的は、表示部の背面に表示部と独立した独立部を接続する構造において、独立部を容易に接続および分離することができる接続構造を実現することである。
【課題を解決するための手段】
【００１２】
本発明に係る表示装置は、表示面を有する表示部と、前記表示部の背面に接続され、前記表示部と分離可能に設けられる独立部とを備え、前記独立部が、前記表示部の背面に当接させられる第１接続板と、前記第１接続板から外部に突出する爪部を有する少なくとも２つの爪部材と、前記爪部材を初期位置から移動自在となるように支持する支持部とを有し、前記表示部が、一面が、前記表示部の背面とされ、前記爪部材が差し入れられる少なくとも２つの孔が形成された第２接続板と、前記孔から前記表示部内に差し入れられた前記爪部材を前記第２接続板と係合する係合位置まで案内する案内部とを有していることを特徴としている。
【００１３】
上記の構成では、独立部を表示部に接続するとき、本体部の第１接続面が表示部の第２接続面に近づくと、爪部材が孔を通して表示部内に差し入れられる。爪部材は、初期位置から移動自在に支持されているので、案内部によって、第２接続板と係合する位置まで案内されていき、最終的には第２接続板と係合する。
【００１４】
これにより、ネジや工具などを用いることなく、独立部を容易に表示部の背面に接続することができる。
【００１５】
前記表示装置において、前記独立部は、前記爪部材に設けられた支持箇所にて前記独立部に回動自在に支持された前記爪部材を回動させる回動手段を有し、前記爪部材は、前記第２接続板に当接した状態で前記回動手段によって回動されると、前記爪部材の前記支持箇所が前記爪部材の前記第２接続板への当接部分を中心に回動するようになされていることが好ましい。
【００１６】
上記の構成では、爪部材は、第２接続板に当接した状態で前記回動手段によって駆動されると、爪部材の支持箇所が爪部材の第２接続板への当接部分を中心に回動する。このような爪部材の回動により、第２接続板に対して垂直であり、かつ第２接続板から第１接続板に向かう方向への爪部材の支持箇所の移動が生じ、この支持箇所の移動が、支持箇所を含む独立部を表示部から離反させる。
【００１７】
したがって、表示部のコネクタと独立部のコネクタが第１および第２接続板を介して互いに接続されていても、独立部が表示部から離反することにより、表示部のコネクタから独立部のコネクタを容易に外すことができる。それゆえ、回動手段を操作することによって容易に独立部を表示部から取り外すことができる。
【００１８】
前記表示装置において、前記回動手段は、前記爪部材と前記第２接続板との係合状態が解除される位置まで前記爪部材を移動させることが好ましい。
【００１９】
上記の構成では、回動手段によって、爪部材が凸部との係合状態が解除される位置まで移動させられる。これにより、独立部を表示部から分離することができる。
【００２０】
前記表示装置において、前記回動手段は、直線方向の運動を前記爪部材の回転運動に変換し、前記独立部は、前記爪部材を前記係合位置に保持する保持手段と、前記爪部材を前記初期位置に復帰させる復帰手段とを有していることが好ましい。
【００２１】
上記の構成では、爪部材が保持部によって係合位置に保持されるので、独立部が表示部に接続された状態、すなわち爪部材が第２接続板に係合している状態を維持することができる。したがって、表示部と独立部との接続において、従来のネジ固定による接続と同等の剛性を持たせることができる。
【００２２】
また、独立部を表示部から分離するときには、復帰手段によって、爪部材が初期位置に復帰するので、爪部材を初期位置に容易に戻すことができる。
【００２３】
また、独立部を表示部から分離するとき、回動手段に直線方向の力を作用させると、その力が、回動手段によって回転運動させる力として爪部材に伝わる。これにより、直線方向の力を回動手段に作用させることによって、容易に爪部材を回動させることができる。
【発明の効果】
【００２４】
本発明に係る表示装置は、以上のように構成されているので、ネジや工具などを用いることなく、表示部に対する独立部の接続および分離を容易にすることができる。したがって、表示部に対する独立部の接続および分離を効率的に行うことができるという効果を奏する。
【図面の簡単な説明】
【００２５】
【図１】本発明の実施形態に係る表示装置の外観の構成を示す斜視図である。
【図２】上記表示装置を構成する表示ユニットおよび制御ユニット（リアカバー）の外観および内部の構成を示す分解斜視図である。
【図３】（ａ）は上記制御ユニットおよび上記リアカバーの構成を示す背面図であり、（ｂ）は上記制御ユニットおよび上記リアカバーにおける上部の係止構造を示す構成を示す平面図である。
【図４】（ａ）は上記制御ユニットのシャーシの構成を示す各部品が実装される部品実装面側の正面図であり、（ｂ）は上記シャーシの上面図であり、（ｃ）は上記シャーシの下面図であり、（ｅ）は上記シャーシの左側面図であり、（ｆ）は上記シャーシの右側面図である。
【図５】上記制御ユニットのシャーシおよび上記リアカバーにおける下部の接続構成を示す図３（ａ）のＡ−Ａ線矢視断面図を上下逆にして示す部分断面図である。
【図６】（ａ）〜（ｅ）は上記表示ユニットに上記制御ユニットを接続するときのリンケージおよびフックの動作を示す平面図である。
【図７】（ａ）〜（ｄ）は上記表示ユニットから上記制御ユニットを分離するときのリンケージおよびフックの動作を示す平面図である。
【発明を実施するための形態】
【００２６】
本発明の一実施形態について図１〜図７に基づいて説明すると、以下の通りである。
【００２７】
［表示装置の構成］
図１に示すように、表示装置１は、表示ユニット２（表示部）および制御ユニット３（独立部）によって構成されている。この表示装置１は、壁や表示装置１に接続される装置の盤に取り付けられる。
【００２８】
なお、以下の説明では、表示装置１を盤に取り付ける場合について説明する。
【００２９】
〔表示ユニットの構成〕
図１に示すように、表示ユニット２は、前面側に、表示面２１と、額縁部２２とを有し、背面側にケース２３およびリアカバー２４を有している。
【００３０】
表示面２１は、画像を表示するために設けられており、液晶パネルや有機ＥＬパネルなどの平板型の表示パネルによって構成されている。
【００３１】
なお、表示面２１上には、図示はしないがタッチ入力のためのタッチパネルが設けられていてもよい。パネルコンピュータやプログラマブル表示器などの表示面から入力操作を行うタイプの表示装置には、タッチパネルが入力デバイスとして好適に用いられる。
【００３２】
額縁部２２は、表示面２１の周囲を取り囲むように設けられている。
【００３３】
表示装置１は、この額縁部２２の裏面側を盤にあてがうようにして盤に取り付けられる。このため、ケース２３およびリアカバー２４は、盤に設けられた穴から盤の内側に突き出すように配置されている。
【００３４】
ケース２３は、表示パネルを駆動するための電源装置やインターフェースなどが収容されている筐体である。インターフェースとしては、制御ユニット３とのデータの授受のためのコネクタを含んでいる。
【００３５】
リアカバー２４は、ケース２３の背面を覆うカバーであり、このリアカバー２４には、ケース２３と制御ユニット３との接続のための構造が設けられている。この構造については、後に詳しく説明する。
【００３６】
〔制御ユニットの構成〕
制御ユニット３は、表示ユニット２の背面に分離可能に接続され、ケース２３の背面にリアカバー２４を介して取り付けられている。
【００３７】
また、制御ユニット３は、表示ユニット２の表示動作を制御するために用いられる表示データの処理や、上記のタッチパネルから入力されたタッチデータの処理などを行う処理装置を収容している。この処理装置は、コンピュータ装置としての各種の演算処理機能も備えている。
【００３８】
さらに、制御ユニット３は、処理装置に電力を供給するための電源装置やインターフェースなどが収容されている。インターフェースとしては、表示ユニット２とのデータの授受のためのコネクタを含んでいる。
【００３９】
〔制御ユニットおよびリアカバーの接続構造〕
図２ならびに図３（ａ）および（ｂ）に示すように、制御ユニット３は、シャーシ３１、ケース３２、リンケージ３３、第１フック３４、第２フック３５、引張バネ３６、リンケージロック３７およびコネクタ３８を有している。
【００４０】
〈シャーシの構成〉
図４（ａ）〜（ｅ）に示すように、シャーシ３１（第１接続板）は、長方形に形成された板状の部材であり、表示ユニット２の背面（リアカバー２４）に当接させられる。このシャーシ３１は、ケース３２が取り付けられる側の各部品が実装される部品実装面３１Ａにおいて、一方の長辺をなす第１端縁に、第１フック支持部３１ａ、第２フック支持部３１ｂ、スライド台３１ｃおよびリンケージ規制部３１ｉが設けられている。
【００４１】
第１フック支持部３１ａ（支持部）は、第１フック３４を回動自在に支持する支持体であり、第１端縁と直交する方向に間隔をおいて一対設けられている。この第１フック支持部３１ａは、部品実装面３１Ａから立ち上がるように長方形に形成されており、第１端縁と平行に配置されている。具体的には、一方の第１フック支持部３１ａは第１端縁に沿って形成され、他方の第１フック支持部３１ａは第１端縁より内側に形成されている。
【００４２】
第１フック支持部３１ｂ（支持部）は、第２フック３５を回動自在に支持する支持体であり、第１端縁と直交する方向に間隔をおいて一対設けられている。この第２フック支持部３１ｂは、部品実装面３１Ａから立ち上がるように長方形に形成されており、第１端縁と平行に配置されている。具体的には、一方の第２フック支持部３１ｂは第１端縁に沿って形成され、他方の第２フック支持部３１ｂは第１端縁より内側に形成されている。
【００４３】
スライド台３１ｃは、第１フック支持部３１ａと第２フック支持部３１ｂとの中間位置からやや第２フック支持部３１ｂ側にずれた位置に設けられており、部品実装面３１Ａから突出するように形成された直方体形状の部分である。このスライド台３１ｃは、後述するリンケージ３３に設けられた操作ノブ３３ａをスライド自在に支持するために設けられている。
【００４４】
リンケージ規制部３１ｉは、スライド台３１ｃとで後述するリンケージ３３の移動を規制するために設けられている。このリンケージ規制部３１ｉは、図４（ａ）および（ｃ）に示すように、部品実装面３１Ａから立ち上がるように長方形に形成されており、スライド台３１ｃと平行に配置されている。
【００４５】
また、シャーシ３１には、フック孔３１ｄ，３１ｅおよびコネクタ孔３１ｆが形成されている。
【００４６】
フック孔３１ｄは、前述の第１端縁に沿って形成される第１フック支持部３１ａより内側に形成されている。第１端縁に沿った第１フック支持部３１ａより内側の第１フック支持部３１ａは、このフック孔３１ｄを跨ぐように配置されている（図４（ａ）参照）。
【００４７】
フック孔３１ｄは、第１フック３４が第１フック支持部３１ａに支持された状態で回動できる空間を確保するために設けられる。また、フック孔３１ｄは、シャーシ３１がリアカバー２４に接続された状態で、後述する凸部２４ｆが、シャーシ３１の接続面３１Ｂ（第１接続面）に当接しないようにシャーシ３１側に露出するために設けられる。接続面３１Ｂは、リアカバー２４と接続される、部品実装面３１Ａとは反対側の面である。
【００４８】
フック孔３１ｅは、前述の第１端縁に沿って形成される第２フック支持部３１ｂより内側に形成されている。第１端縁に沿った第２フック支持部３１ｂより内側の第２フック支持部３１ｂは、このフック孔３１ｅを跨ぐように配置されている（図４（ａ）参照）。
【００４９】
フック孔３１ｅは、第２フック３５が、第２フック支持部３１ｂに支持された状態で回動できる空間を確保するために設けられる。また、フック孔３１ｅは、シャーシ３１がリアカバー２４に接続された状態で、後述する凸部２４ｈが、接続面３１Ｂに当接しないようにシャーシ３１側に露出するために設けられる。
【００５０】
コネクタ孔３１ｆは、表示ユニット２に設けられるコネクタ（図示せず）を制御ユニット３内に通す孔である。このコネクタ孔３１ｆは、シャーシ３１における第１フック支持部３１ａに近い短辺をなす端縁に沿って長方形に形成されている。
【００５１】
さらに、図４（ｂ）〜（ｅ）に示すように、シャーシ３１は係止突起３１ｇを有している。この係止突起３１ｇは、接続面３１Ｂに形成されており、シャーシ３１における上記の第１端縁とは反対側の第２端縁の付近に、間隔をおいて一対設けられている。また、係止突起３１ｇは、図３（ａ）および図５に示すように、後述するリアカバー２４の係止孔２４ｇに係止するために、先端部が接続面Ｂから第２端縁側へ傾斜して突出する形状に形成されている。
【００５２】
〈第１フックの構成〉
第１フック３４（爪部材）は、両面のほぼ中央部に、両面に対してそれぞれ垂直方向に突出する一対の軸３４ａ（支持箇所）が設けられている。これらの軸３４ａがそれぞれ第１フック支持部３１ａに摺動自在に保持されることにより、第１フック３４が第１フック支持部３１ａに対して回動自在に支持されるようになっている。
【００５３】
第１フック３４には、長孔３４ｂ，３４ｃが形成されている。長孔３４ｂは、貫通孔であり、ケース３２の内部に位置する第１フック３４の内側部において、軸３４ａの近傍から第１フック３４の一端付近に伸びるように形成されている。一方、長孔３４ｃは、常にケース３２の外部に露出している第１フック３４の外側部において、軸３４ａ近傍から第１フック３４の他端付近に伸びるように形成されている。
【００５４】
長孔３４ｃは、後述するリンケージ３３の一端を摺動自在に保持するために設けられている。一方、長孔３４ｂは、リンケージ３３の保持には用いられないが、部品点数の削減の観点から、第１フック３４を第２フック３５と同一形状に形成している都合上、設けられている。
【００５５】
第１フック３４は、爪部３４ｄ，３４ｅを有している。爪部３４ｄは、上記の内側部において、軸３４ａに対してスライド台３１ｃと反対側に突出するように形成されている。一方、爪部３４ｅは、上記の外側部において、爪部３４ｄと同じ側に、その先端をシャーシ３１の接続面３１Ｂに向けて突出するように形成されている。
【００５６】
また、第１フック３４は、制御ユニット３が表示ユニット２に接続されている状態で回動したときに、爪部３４ｄ（押圧部）の先端が凸部２４ｆに当接して押圧するように構成されている。
【００５７】
〈第２フックの構成〉
第２フック３５（爪部材）は、両面のほぼ中央部に、両面に対してそれぞれ垂直方向に突出する一対の軸３５ａ（支持箇所）が設けられている。これらの軸３５ａがそれぞれ第２フック支持部３１ｂに摺動自在に保持されることにより、第２フック３５が第２フック支持部３１ｂに対して回動自在に支持されるようになっている。
【００５８】
第２フック３５には、長孔３５ｂ，３５ｃが形成されている。長孔３５ｂは、貫通孔であり、ケース３２の内部に位置する第２フック３５の内側部において、軸３５ａの近傍から第２フック３５の一端付近に伸びるように形成されている。一方、長孔３５ｃは、常にケース３２の外部に露出している第１フック３４の外側部において、軸３５ａ近傍から第２フック３５の他端付近に伸びるように形成されている。
【００５９】
長孔３５ｂは、後述するリンケージ３３の他端を摺動自在に保持するために設けられている。一方、長孔３５ｃは、リンケージ３３の保持には用いられないが、部品点数の削減の観点から、第２フック３５を第１フック３４と同一形状に形成している都合上、設けられている。つまり、長孔３５ｂは、第１フック３４の長孔３４ｂに相当し、長孔３５ｃは、第１フック３４の長孔３４ｃに相当する。
【００６０】
第２フック３５は、爪部３５ｄ，３５ｅを有している。爪部３５ｄは、上記の内側部において、軸３５ａに対してスライド台３１ｃと反対側に突出するように形成されている。一方、爪部３５ｅは、上記の外側部において、爪部３５ｄと同じ側に、その先端をシャーシ３１の接続面３１Ｂに向けて突出するように形成されている。
【００６１】
また、第２フック３５は、制御ユニット３が表示ユニット２に接続されている状態で回動したときに、爪部３５ｄ（押圧部）の先端が凸部２４ｈに当接して押圧するように構成されている。
【００６２】
〈リンケージの構成〉
リンケージ３３（回動手段）は、第１フック３４および第２フック３５を繋いで連動させる接続部材であり、操作ノブ３３ａと、本体部３３ｂと、オフセット部３３ｃ，３３ｄとを有している。このリンケージ３３は、スライド台３１ｃよりも内側に配置されている。
【００６３】
本体部３３ｂは、第１フック３４と第２フック３５との間に位置する長方形状部と、この長方形状部のほぼ中央に形成された台形状に隆起している台形部とからなる。リンケージ３３は、本体部３３ｂが前述のスライド台３１およびリンケージ規制部３１ｉの間に位置することにより、シャーシ３１の第１端縁に沿った方向に動きが規制される。
【００６４】
操作ノブ３３ａは、この台形部の外側の面にスライド台３１ｃ上に突出するように形成されている。この操作ノブ３３ａは、リンケージ３３を第１フック３４側または第２フック３５側に移動操作するために設けられており、指で操作しやすいように、複数の溝が形成されている。
【００６５】
オフセット部３３ｃは、本体部３３ｂの一端から第１フック３４の長孔３４ｃ側にオフセットするように形成されている。このオフセット部３３ｃは、その先端に図示しない軸を有している。この軸は、長孔３４ｃを貫通するように配置されており、長孔３４ｃから抜けないように、その先端に長孔３４ｃの幅より大きい抜け留め部を有している。オフセット部３３ｃは、このような構造により、長孔３４ｃ内で軸が移動することで、オフセット部３３ｃの端部が第１フック３４に可動状態に保持される。
【００６６】
オフセット部３３ｄは、本体部３３ｂの他端から第２フック３５の長孔３５ｂ側にオフセットするように形成されている。このオフセット部３３ｄは、その先端に図示しない軸を有している。この軸は、長孔３５ｂを貫通するように配置されており、長孔３５ｂから抜けないように、その先端に長孔３５ｂの幅より大きい抜け留め部を有している。オフセット部３３ｄは、このような構造により、長孔３５ｂ内で軸が移動することで、オフセット部３３ｄの端部が第２フック３５に可動状態に保持される。
【００６７】
リンケージ３３は、上記のように構成されるオフセット部３３ｃ，３３ｄを有することにより、直線方向の運動を第１フック３４および第２フック３５の回転運動に変換するクランクのような機能を備える。具体的には、リンケージ３３が第２フック３５側に移動すると、オフセット部３３ｃの端部が第１フック３４を引っ張りながら、当該端部に設けられた軸が長孔３４ｃ内を軸３４ａから離れるように移動する。一方、オフセット部３３ｄの端部が第２フック３５を押しながら、当該端部に設けられた軸が長孔３５ｃ内を軸３５ａから離れるように移動する。これにより、第１フック３４が、図３（ｂ）において反時計回りの方向に回動し、第２フック３５が時計回りの方向に回動する（図６（ｃ）参照）。
【００６８】
〈引張バネの構成〉
引張バネ３６（復帰手段）は、リンケージ３３に復元力を作用させることによって、リンケージ３３を元の位置に復帰させるために設けられている。この引張バネ３６は、一端が、内側に配置されている第１フック支持部３１ａに設けられた係止部３１ｈに係止され、他端がリンケージ３３の裏面（スライド台３１ｃ側の面と反対側の面）に設けられた係止部３３ｅに係止されている。
【００６９】
これにより、引張バネ３６は、リンケージ３３が第２フック３５側へ移動した状態では引っ張られており、第１フック３４側へ引き戻そうとする復元力をリンケージ３３に作用させる。また、引張バネ３６は、第１フック３４および第２フック３５が図３（ｂ）に示す初期位置にある状態では、引っ張られておらず、復元力をリンケージ３３に作用させることはない。
【００７０】
〈ケースの構成〉
ケース３２は、シャーシ３１を覆うように箱状に形成されており、ネジによってシャーシ３１に固定される。
【００７１】
また、ケース３２は、リンケージロック３７およびコネクタ３８が取り付けられるとともに、凹部３２ａが形成されている。この凹部３２ａは、制御ユニット３が表示ユニット２に取り付けられる状態で上側に位置するケース３２の上壁部に設けられている。より詳しくは、凹部３２ａは、上壁部におけるほぼ中央に、端縁部へ開口するように形成されている。このように形成される凹部３２ａは、ケース３２がシャーシ３１を覆った状態で、スライド台３１ｃに嵌め合わされ、スライド台３１ｃの端面を露出させる。
【００７２】
さらに、ケース３２には、切欠き３２ｂが、ケース３２における一方の短辺側（シャーシ３１のコネクタ３１ｆ側）の側壁に形成されている。この切欠き３２ｂは、後述するリアカバー２４の保持リブ２４ｃに嵌め合わされるように、山形（三角形状）に形成されている。
【００７３】
リンケージロック３７（保持手段）は、リンケージ３３の長手方向に直交する方向にスライド自在となるように、ケース３２の上端面に保持されている。具体的には、図示はしないが、ケース３２にリンケージロック３７を嵌め入れる凹部が形成されており、この凹部におけるリンケージロック３７のスライド方向に沿った側壁と、リンケージロック３７の両側端部とが摺動可能に嵌め合っている。これにより、リンケージロック３７をスライド自在に保持する構造が得られる。
【００７４】
また、リンケージロック３７には、操作ノブ３３ａに嵌め合わされる形状をなす保持凹部３７ａが形成されている。リンケージロック３７は、保持凹部３７ａが操作ノブ３３ａに嵌め合わされることによって、リンケージ３３を動かないように保持する。
【００７５】
コネクタ３８は、ケース３２の背壁部の内面に設けられたコネクタ台３２ｃ上に固定されている。このコネクタ３８は、ケース３２がシャーシ３１に取り付けられた状態で、先端部がコネクタ孔３１ｆの付近に位置するように配置されている。
【００７６】
〈リアカバーの構成〉
リアカバー２４（第２接続板）は、シャーシ３１が接続される接続面２４Ａ（一面）が表示ユニット２の背面とされ、当該接続面２４Ａに、保持リブ２４ａ，２４ｂ，２４ｃを有している。
【００７７】
保持リブ２４ａは、シャーシ３１における第１フック支持部３１ａ付近の角部を保持するために設けられている。この保持リブ２４ａは、接続面２４Ａに対して立ち上がるように、上記角部に沿った形状に形成されている。
【００７８】
保持リブ２４ｂは、シャーシ３１における第２フック支持部３１ｂ付近の角部を保持するために設けられている。この保持リブ２４ｂは、接続面２４Ａに対して立ち上がるように、上記角部に沿った形状に形成されている。
【００７９】
保持リブ２４ｃは、前述の切欠き３２ｂに嵌め合うように、山形（三角形状）に形成されている。
【００８０】
リアカバー２４は、保持リブ２４ａ，２４ｂ，２４ｃを有することにより、接続面２４Ａ上で制御ユニット３がずれないように保持することができる。
【００８１】
リアカバー２４には、フック孔２４ｄ，２４ｅが形成されるとともに、フック孔２４ｄの周辺に凸部２４ｆ，２４ｇを有し、フック孔２４ｅの周辺に凸部２４ｈ，２４ｉを有している。
【００８２】
フック孔２４ｄ，２４ｅは、リアカバー２４の一方の長辺をなす端縁の付近にリアカバー２４を貫通するように形成されている。フック孔２４ｄ，２４ｅは、それぞれ、リアカバー２４がシャーシ３１と接続された状態で、シャーシ３１のフック孔３１ｄ，３１ｅと通じる位置に設けられている。これにより、第１フック３４がフック孔２４ｄにおいて回動できるように配置され、第２フック３５がフック孔２３ｅにおいて回動できるように配置される。
【００８３】
凸部２４ｆは、接続面２４Ａにおけるフック孔２４ｄの保持リブ２４ａ側の端部の近傍に台形状に形成されている。一方、凸部２４ｇは、リアカバー２４の内面２４Ｂ（接続面２４Ａと反対側の面）におけるフック孔２４ｄの保持リブ２４ａ側の端部の近傍に、フック孔２４ｄの中心寄りに傾斜する形状に形成されている。また、凸部２４ｆ，２４ｇは、それぞれの傾斜面が連なるように形成されている。
【００８４】
凸部２４ｈは、接続面２４Ａにおけるフック孔２４ｅの保持リブ２４ｂ側の端部の近傍に台形状に形成されている。一方、凸部２４ｉは、リアカバー２４の内面におけるフック孔２４ｅの保持リブ２４ｂ側の端部の近傍に、フック孔２４ｅの中心寄りに傾斜する形状に形成されている。また、凸部２４ｈ，２４ｉは、それぞれの傾斜面が連なるように形成されている。
【００８５】
また、リアカバー２４には、コネクタ孔２４ｊおよび係止孔２４ｋが形成されている。
【００８６】
コネクタ孔２４ｊは、表示ユニット２に設けられるコネクタ（図示せず）を制御ユニット３側に通す孔である。このコネクタ孔２４ｊは、リアカバー２４における保持リブ２４ｃが設けられた端縁に沿って長方形に形成されている。
【００８７】
係止孔２４ｋは、前述の係止突起３１ｇが配置される孔であり、係止突起３１ｇが係止孔２４ｋを形成する端面に載置されることによって係止される。この係止孔２４ｋは、図３（ａ）に示すように、リアカバー２４において、フック孔２４ｄ，２４ｅが形成される端縁（上側の端縁）と反対側の端縁（下側の端縁）の付近に所定の間隔をおいて形成されている。
【００８８】
［制御ユニットの接続および分離］
続いて、上記のように構成される表示装置１における表示ユニット２および制御ユニット３の接続および分離について説明する。
【００８９】
〔制御ユニットの表示ユニットへの接続〕
まず、図６（ａ）に示すように、リンケージロック３７がロック位置にある状態では、操作ノブ３３ａが保持凹部３７ａに保持されたロック状態となっており、リンケージ３３を動かすことはできず、第１フック３４および第２フック３５は初期位置にある。
【００９０】
第１フック３４および第２フック３５は、初期位置にある状態では、第１フック３４における爪部３４ｄ，３４ｅが設けられている側と反対側の直線状に形成される背部と、第２フック３５おける爪部３４ｄ，３４ｅが設けられている側と反対側の直線状に形成される背部とが平行に向き合っている。また、この状態では、リンケージ３３は、操作ノブ３３ａが保持凹部３７ａに嵌め合うことが可能な位置にある。また、第１フック３４および第２フック３５は、初期位置にある状態では、引張バネ３６がリンケージ３３によって引っ張られていない。
【００９１】
この状態から、制御ユニット３をリアカバー２４に近づけて、第１フック３４の下端部（爪部３４ｅの根部）と第２フック３５の下端部（爪部３５ｅの根部）とをそれぞれリアカバー２４の凸部２４ｆ，２４ｈに当接させる。
【００９２】
なお、このとき、図５に示すように、シャーシ３１の係止突起３１ｇを、リアカバー２４の係止孔２４ｇを形成する端面に係止させている。このように係止突起３１ｇを係止孔２４ｇに係止させることにより、制御ユニット３のリアカバー２４への接続の位置決めを容易にすることができる。
【００９３】
この状態から、図６（ｂ）に示すように、リンケージロック３７を方向Ｙ１にスライドさせると、操作ノブ３３ａが保持凹部３７ａから外れて、リンケージ３３のロック状態が解除される。これにより、リンケージ３３の動きが自由になるので、制御ユニット３を方向Ｙ２に押し込んでいくことが可能となる。
【００９４】
図６（ｃ）に示すように、第１フック３４は、爪部３４ｅが凸部２４ｆ，２４ｇの傾斜面に当接しながらフック孔２４ｄへ移動していく（差し入れられていく）ことで、軸３４ａの回りに図中反時計回りの方向に回動する。一方、第２フック３５は、爪部３５ｅが凸部２４ｈ，２４ｉの傾斜面に当接しながらフック孔２４ｅへ移動していく（差し入れられていく）ことで、軸３５ａの回りに図中時計回りの方向に回動する。これに伴い、オフセット部３３ｃの端部が第１フック３４によってＸ１方向に押し出されるとともに、オフセット部３３ｄの端部が第２フック３５によってＸ１方向に引っ張られることにより、リンケージ３３がＸ１方向に移動する。
【００９５】
そして、図６（ｄ）に示すように、制御ユニット３（シャーシ３１）とリアカバー２４とが接した状態になると、爪部３４ｅは、その先端が凸部２４ｇの頂部を乗り越え、爪部３５ｅは、その先端が凸部２４ｉの頂部を乗り越える。この状態では、リンケージ３３が引張バネ３６の復元力によって引き戻されることにより、第１フック３４および第２フック３５が初期位置に戻っている。これにより、第１フック３４と凸部２４ｇとが係合され、第２フック３５と凸部２４ｉとが係合される。そしてこの係合構造によって、制御ユニット３とリアカバー２４（表示ユニット２）とが接続される。
【００９６】
さらに、図６（ｅ）に示すように、リンケージロック３７を、操作ノブ３３ａを保持する位置までＹ１方向にスライドさせて、リンケージ３３のａが移動できないように固定する。
【００９７】
このようにして、制御ユニット３が上部で表示ユニット２と接続される。したがって、係止突起３１ｇによる下部の係止構造と併せて、制御ユニット３が表示ユニット２に接続される。
【００９８】
〔制御ユニットの表示ユニットからの分離〕
まず、図７（ａ）に示すように、リンケージロック３７をＹ１方向にスライドさせて、リンケージ３３のロック状態を解除する。これにより、リンケージ３３が移動自在の状態となる。
この状態から、図７（ｂ）に示すように、Ｘ２方向に作用する引張バネ３６の復元力に抗して、操作ノブ３３ａをＸ１方向に操作すると、第１フック３４が反時計回りに回動し、第２フック３５が時計回りに回動する。これにより、第１フック３４は、爪部３４ｅが凸部２４ｇから離れるとともに、爪部３４ｄが凸部２４ｆに圧接する。一方、第２フック３５は、爪部３５ｅが凸部２４ｉから離れるとともに、爪部３５ｄが凸部２４ｈに圧接する。
【００９９】
図７（ｃ）に示すように、操作ノブ３３ａをさらにＸ１方向に操作すると、リンケージ３３のＸ１方向の移動に伴って、第１フック３４および第２フック３５がさらに大きく回動しようとする。しかしながら、第１フック３４の爪部３４ｄの先端は凸部２４ｆの頂部に当接した状態であり、第２フック３５の爪部３５ｄの先端は凸部２４ｈの頂部に当接した状態であるので、それぞれの先端の動きが規制されている。このため、第１フック３４は、爪部３４ｄの先端（爪部３４ｄと凸部２４ｆの当接部分）を中心に爪部先端３４ｄと軸３４ａとの距離を半径として軸３４ａが図中左回りに回動するように動き、第２フック３５は、爪部３５ｄの先端（爪部３５ｄと凸部２４ｈの当接部分）を中心に爪部先端３５ｄと軸３５ａとの距離を半径として軸３５ａが図中右回りに回動するように動く。このように、軸３４ａは、回動することによって、Ｘ２方向には僅かに移動するのみであるが、Ｙ２方向には大きく移動することになる。一方、軸３５ａは、回動することによって、Ｘ１方向には僅かに移動するのみであるが、Ｙ２方向には大きく移動することになる。
【０１００】
上記のように、軸３４ａ，３５ａのＹ２方向の移動により、軸３４ａ，３５ａをともに支持するシャーシ３１を含む制御ユニット３がリアカバー２４から浮き上がる（離反する）。第１フック３４および第２フック３５のＹ２方向の移動によって、制御ユニット３がリアカバー２４から浮き上がる最大の距離は、制御ユニット３のコネクタ３８が表示ユニット２のコネクタから外れるのに十分に足りる距離である。
【０１０１】
そして、制御ユニット３のコネクタ３８が表示ユニット２のコネクタから外れると、制御ユニット３を手で容易にリアカバー２４から取り外すことができる。この状態で、操作ノブ３３ａの操作を止めると、図７（ｄ）に示すように、引張バネ３６の復元力によって引き戻されることにより、リンケージ３３がＸ２方向に移動する。これにより、第１フック３４および第２フック３５が初期位置に戻る。
【０１０２】
［実施形態の総括］
本実施形態に係る表示装置１は、制御ユニット３が、回動自在な第１フック３４および第２フック３５と、第１フック３４および第２フック３５の動きを連動させるリンケージ３３と、リンケージ３３を元の位置に引き戻す引張バネ３６を有している。また、表示ユニット２のリアカバー２４は、第１フック３４との係合構造を形成するためにフック孔２４ｄおよび凸部２４ｆ，２４ｇが形成され、第２フック３５との係合構造を形成するためにフック孔２４ｅおよび凸部２４ｈ，２４ｉが形成されている。
【０１０３】
これにより、制御ユニット３の表示ユニット２への接続時に、制御ユニット３をリアカバー２４へ押し込む操作をすると、図７（ｃ），（ｄ）に示すように、第１フック３４および第２フック３５は、それぞれ凸部２４ｆ，２４ｈ（案内部）に案内されるように回動する。第１フック３４および第２フック３５は、凸部２４ｇ，２４ｉに係合する位置（係合位置）まで達すると、リンケージ３３が引張バネ３６によって元の位置に戻されることにより、初期位置にまで回動する。
【０１０４】
したがって、ネジや工具などを用いることなく、制御ユニット３を容易に表示ユニット２の背面に接続することができる。よって、効率的に制御ユニット３を表示ユニット２に接続することが可能となり、制御ユニット３の交換作業の効率化を図ることができる。
【０１０５】
また、制御ユニット３のコネクタ３８と表示ユニット２のコネクタとの結合力のため、爪部３４ｅ，３５ｅによる凸部２４ｇ，２４ｉへの係合状態を解除しただけでは、手によって制御ユニット３を表示ユニット２から取り外すことは難しい。これに対し、リンケージ３３は、操作ノブ３３ａを有している。操作ノブ３３ａを操作することにより、図７（ｂ），（ｃ）に示すように、第１フック３４および第２フック３５を回動させる。これにより、爪部３４ｅ，３５ｅによる凸部２４ｇ，２４ｉへの係合状態を解除し、かつ爪部３４ｄ，３５ｄによる押圧力を凸部２４ｆ，２４ｈに作用させることができる。この結果、制御ユニット３のコネクタ３８を表示ユニット２のコネクタから外すことができる。したがって、手によって制御ユニット３を表示ユニット２から取り外すことができる。
【０１０６】
しかも、制御ユニット３がリンケージロック３７を有している。これにより、制御ユニット３が表示ユニット２に接続されている状態で、リンケージロック３７によってリンケージ３３を固定することにより、爪部３４ｅ，３５ｅと凸部２４ｇ，２４ｉとの係合状態を維持することができる。したがって、表示ユニット２と制御ユニット３との接続において、従来のネジ固定による接続と同等の剛性を持たせることができる。
【０１０７】
［変形例１］
前述の構成では、制御ユニット３を表示ユニット２から分離するときに、爪部３４ｄ，３５ｄによる押圧力を凸部２４ｆ，２４ｈに作用させることによって、表示ユニット２をリアカバー２４から浮き上がらせている。
【０１０８】
本変形例では、表示ユニット２をリアカバー２４から浮き上がらせるための他の構成について説明する。
【０１０９】
例えば、第１フック３４の爪部３４ｄおよび第２フック３５の爪部３５ｄは、図３（ｂ）に示すものより長く形成されてもよい。これにより、リアカバー２４が凸部２４ｆ，２４ｈを有していなくても、爪部３４ｄ，３５ｄの先端が、リアカバー２４の接続面２４Ａに前述のＹ１方向の力を作用させることができる。
【０１１０】
また、凸部２４ｆ，２４ｈが図３（ｂ）に示すものより高く形成されてもよい。これにより、第１フック３４および第２フック３５がそれぞれ爪部３４ｄ，３５ｄを有していなくても、第１フック３４および第２フック３５が凸部２４ｆ，２４ｈとの当接面で凸部２４ｆ，２４ｈに前述のＹ１方向の力を作用させることができる。
【０１１１】
したがって、上記のような押圧力を利用することによって、容易に表示ユニット２をリアカバー２４から浮き上がらせることができる。
【０１１２】
［変形例２］
前述の構成では、第１フック３４および第２フック３５を初期位置から移動させるために、第１フック３４および第２フック３５をそれぞれ軸３４ａ，３５ａの回りに回動できるように支持する構造を採用している。
【０１１３】
本変形例では、第１フック３４および第２フック３５を初期位置から移動させるための他の構成について説明する。
【０１１４】
図示はしないが、第１フック３４および第２フック３５は、軸３４ａ，３５ａの代わりに、それぞれの両面に突出する平板部材を有している。また、シャーシ３１は、第１フック支持部３１ａおよび第２フック支持部３１ｂの代わりに、平板部材を図６（ｂ）のＸ１方向およびＸ２方向にスライド自在となるように支持するレール部材を有している。また、第１フック３４および第２フック３５は、リンケージ３３の代わりに圧縮バネで結合する。
【０１１５】
上記のような構成により、図６（ｄ）に示すように、制御ユニット３がリアカバー２４側に押し込まれたときには、第１フック３４および第２フック３５が、圧縮バネの復元力に抗して平板部材によって中心に寄るように移動する。そして、爪部３４ｅ，３５ｅが凸部２４ｇ，２４ｉと係合した状態では、第１フック３４および第２フック３５は、図５（ｄ）に示す状態と同様に、圧縮バネの復元力によって初期位置に戻る。
【０１１６】
［付記事項］
なお、上記の実施形態においては、制御ユニット３が２つの第１フック３４および第２フック３５を有する構成について説明したが、フックの数は２つに限定されず３つ以上であってもよい。
【０１１７】
また、上記の実施形態においては、表示装置１が上部側に第１フック３４および第２フック３５とその係合構造を有する構成について説明したが、下部側にも同様な構成を有していてもよい。
【０１１８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１９】
本発明は、表示ユニットの背面に制御ユニットを接続する構造の表示ユニットに好適に利用できる。
【符号の説明】
【０１２０】
１            表示装置
２            表示ユニット（表示部）
３            制御ユニット（独立部）
２１            表示面
２４            リアカバー（第２接続板）
２４Ａ          接続面
２４ｆ〜２４ｉ  凸部（案内部）
３１            シャーシ（第１接続板）
３１Ａ          部品実装面
３１Ｂ          接続面
３１ａ          第１フック支持部（支持部）
３１ｂ          第２フック支持部（支持部）
３２            ケース
３３            リンケージ（回動手段）
３３ａ          操作ノブ
３４            第１フック（爪部材）
３４ａ          軸（支持箇所）
３４ｂ，３４ｃ  長孔
３４ｄ          爪部（押圧部）
３４ｅ          爪部
３５      第２フック（爪部材）
３５ａ          軸（支持箇所）
３５ｂ，３５ｃ  長孔
３５ｄ          爪部（押圧部）
３５ｅ          爪部
３６            引張バネ（復帰手段）
３７            リンケージロック（保持手段）
【図１】
2014038130.tif 000003
【図２】
2014038130.tif 000004
【図３】
2014038130.tif 000005
【図４】
2014038130.tif 000006
【図５】
2014038130.tif 000007
【図６】
2014038130.tif 000008
【図７】
2014038130.tif 000009